(57)【要約】【課題】この発明は、複数の映像信号を入力して多画面表示する際に、映像のサイズや表示位置等を特殊な装備の使用や煩雑な操作を行なうことなく設定することができ、ユーザにとっての取り扱いを便利にし、実用に好適する映像信号処理装置及び映像信号処理方法を提供することを目的としている。【解決手段】第１の映像信号の取得及び表示に関する各種指定を行なうための制御情報を含む第２の映像信号を入力する手段（４１）と、第２の映像信号から検出された制御情報による指定に基づいて第１の映像信号を取得し表示に関する処理を施す手段（１４〜２８，３４ｃ）と、第１の映像信号と第２の映像信号とを同一画面上に同時表示されるように重畳する手段（２９）とを備える。【選択図】      図２
2010011291.tif 000002
【特許請求の範囲】
【請求項１】
第１の映像信号の取得及び表示に関する各種指定を行なうための制御情報を含む第２の映像信号が入力される入力手段と、
前記第２の映像信号から前記制御情報を検出するとともに、その検出した制御情報に基づいて前記第１の映像信号を取得し表示に関する処理を施す取得手段と、
前記処理の施された前記第１の映像信号を、前記第２の映像信号に、同一画面上に同時表示されるように重畳する処理手段とを具備することを特徴とする映像信号処理装置。
【請求項２】
前記処理手段によって重畳された前記第１の映像信号と前記第２の映像信号とを、同一画面上に同時表示させる表示手段を具備することを特徴とする請求項１記載の映像信号処理装置。
【請求項３】
前記制御情報は、放送チャンネルを指定する選局情報と、前記選局情報で指定された放送チャンネルで放送される前記第１の映像信号の表示サイズ及び表示位置を指定するサイズ位置情報とを含み、
前記取得手段は、前記選局情報で指定する放送チャンネルを受信して前記第１の映像信号を取得し、その取得した前記第２の映像信号に対して、前記サイズ位置情報で指定する表示サイズ及び表示位置に表示されるように処理を施すことを特徴とする請求項１記載の映像信号処理装置。
【請求項４】
前記制御情報は、記録媒体に記録された前記第１の映像信号を指定する選択情報と、前記選択情報で指定される前記第１の映像信号の表示サイズ及び表示位置を指定するサイズ位置情報とを含み、
前記取得手段は、前記選択情報で指定された前記第１の映像信号を前記記録媒体から取得し、その取得した前記第１の映像信号に対して、前記サイズ位置情報で指定する表示サイズ及び表示位置に表示されるように処理を施すことを特徴とする請求項１記載の映像信号処理装置。
【請求項５】
前記制御情報は、ネットワーク上から前記第１の映像信号を指定する指定情報と、前記指定情報で指定される前記第１の映像信号の表示サイズ及び表示位置を指定するサイズ位置情報とを含み、
前記取得手段は、前記指定情報で指定された前記第１の映像信号を前記ネットワーク上から取得し、その取得した前記第１の映像信号に対して、前記サイズ位置情報で指定する表示サイズ及び表示位置に表示されるように処理を施すことを特徴とする請求項１記載の映像信号処理装置。
【請求項６】
前記第２の映像信号は、コンピュータから出力され、前記第１の映像信号を取得するためのアプリケーションウインドウを表示するものであり、
前記制御情報は、前記アプリケーションウインドウ内に表示される特定のパターン映像に含まれることを特徴とする請求項１記載の映像信号処理装置。
【請求項７】
前記取得手段は、前記制御情報による指定に基づいて取得した前記第１の映像信号に対して、前記アプリケーションウインドウ内に設けられた前記第１の映像信号のための映像表示領域に表示させるように、表示サイズ及び表示位置に関する処理を施すことを特徴とする請求項６記載の映像信号処理装置。
【請求項８】
第１の映像信号の取得及び表示に関する各種指定を行なうための制御情報を含む第２の映像信号を入力する第１の工程と、
前記第１の工程で入力された前記第２の映像信号から前記制御情報を検出するとともに、その検出した制御情報に基づいて前記第１の映像信号を取得し表示に関する処理を施す第２の工程と、
前記第２の工程で取得され表示に関する処理の施された前記第１の映像信号を、前記第１の工程で入力された前記第２の映像信号に、同一画面上に同時表示されるように重畳する第３の工程とを有することを特徴とする映像信号処理方法。
【発明の詳細な説明】
【技術分野】
【０００１】
この発明は、複数の映像信号を入力して多画面表示に供させるための映像信号処理装置及び映像信号処理方法に関する。
【背景技術】
【０００２】
周知のように、近年のデジタルテレビジョン放送受信装置にあっては、ＰＣ（personal computer）と接続するための端子（Ｄ−Ｓｕｂ：subminiature−Ｄ）を備えたものが普及してきており、ＰＣから高解像度の映像信号を入力して映像表示することができるようになっている。
【０００３】
また、このようなデジタルテレビジョン放送受信装置においては、ＰＣから供給された映像信号とともに、受信したテレビジョン放送信号から復元された映像信号を、同時に映像表示に供させることができるように、いわゆる２画面表示機能を搭載したものも出現している。
【０００４】
ところで、一般に、２画面表示機能としては、画面全体を水平方向に２分し、その各領域にそれぞれ異なる映像を表示させる第１の形態のものと、一方の映像を画面全体に表示させ、その映像内に他方の映像を小さいサイズで重畳表示させる第２の形態（ＰＩＰ：picture in picture）のものとが主流である。
【０００５】
この場合、第１の形態のものは、表示される各映像のサイズが非常に小さく品位が劣化するため、視認し難いものとなっている。また、第２の形態のものは、子画面表示する映像に対して、その画面上におけるサイズや表示位置等を変更するために特殊な装備や操作が必要となるため、取り扱いが煩雑なものとなっている。
【０００６】
特許文献１には、内部チューナからの映像を画面に表示しているときに、外部入力に信号が受信された場合、その受信を使用者が希望する表示モード［ＰＩＰ表示モード、ＯＳＤ（on screen display）表示モード、全画面表示モードが含まれる］で知らせることができるテレビ受信機が開示されている。
【特許文献１】特開２００１−１５７１３５号公報
【発明の開示】
【発明が解決しようとする課題】
【０００７】
そこで、この発明は上記事情を考慮してなされたもので、複数の映像信号を入力して多画面表示する際に、映像のサイズや表示位置等を特殊な装備の使用や煩雑な操作を行なうことなく設定することができ、ユーザにとっての取り扱いを便利にし、実用に好適する映像信号処理装置及び映像信号処理方法を提供することを目的とする。
【課題を解決するための手段】
【０００８】
この発明に係る映像信号処理装置は、第１の映像信号の取得及び表示に関する各種指定を行なうための制御情報を含む第２の映像信号が入力される入力手段と、入力手段に入力された第２の映像信号から制御情報を検出するとともに、その検出した制御情報による指定に基づいて第１の映像信号を取得し表示に関する処理を施す取得手段と、取得手段で取得され表示に関する処理の施された第１の映像信号を、入力手段に入力された第２の映像信号に、同一画面上に同時表示されるように重畳する処理手段とを備えるようにしたものである。
【０００９】
また、この発明に係る映像信号処理方法は、第１の映像信号の取得及び表示に関する各種指定を行なうための制御情報を含む第２の映像信号を入力する第１の工程と、第１の工程で入力された第２の映像信号から制御情報を検出するとともに、その検出した制御情報による指定に基づいて第１の映像信号を取得し表示に関する処理を施す第２の工程と、第２の工程で取得され表示に関する処理の施された第１の映像信号を、第１の工程で入力された第２の映像信号に、同一画面上に同時表示されるように重畳する第３の工程とを有するようにしたものである。
【発明の効果】
【００１０】
上記した発明では、第２の映像信号を入力したとき、そこに含まれる制御情報に基づいて第１の映像信号を取得し表示に関する処理を施して、第２の映像信号と同一画面に同時表示されるように重畳させるようにした。従って、複数の映像信号を入力して多画面表示する際に、映像のサイズや表示位置等を特殊な装備の使用や煩雑な操作を行なうことなく自動的に設定することができ、ユーザにとっての取り扱いを便利にし、実用に好適するものとなる。
【発明を実施するための最良の形態】
【００１１】
以下、この発明の実施の形態について図面を参照して詳細に説明する。図１は、この実施の形態で説明する映像信号処理システムの概略を示している。この映像信号処理システムは、映像信号処理装置としてのデジタルテレビジョン放送受信装置１１に、映像出力機器としてのＰＣ１２から出力される映像信号を、例えばＬＡＮ（local area network）等のデジタルインターフェースを介して伝送可能に接続したものである。
【００１２】
そして、このデジタルテレビジョン放送受信装置１１は、ＰＣ１２から供給された高解像度の映像信号を、後述する映像表示器による映像表示に供させることができる。
【００１３】
一方、このデジタルテレビジョン放送受信装置１１は、受信したテレビジョン放送信号から映像信号を復元し、映像表示に供させることができる。また、このデジタルテレビジョン放送受信装置１１は、受信したテレビジョン放送信号から映像信号を復元し、内蔵されたＨＤＤ（hard disk drive）１３によりハードディスク１３ａに記録することができる。さらに、このデジタルテレビジョン放送受信装置１１は、ハードディスク１３ａに記録された映像信号をＨＤＤ１３により再生し、映像表示に供させることができる。
【００１４】
ここで、このデジタルテレビジョン放送受信装置１１は、詳細は後述するが、上記ＰＣ１２から供給された映像信号と、受信したテレビジョン放送信号から復元した映像信号とを、映像表示器による２画面表示に供させることができる。また、このデジタルテレビジョン放送受信装置１１は、ＰＣ１２から供給された映像信号と、ハードディスク１３ａに記録されＨＤＤ１３により再生された映像信号とを、映像表示器による２画面表示に供させることができる。
【００１５】
図２は、上記したデジタルテレビジョン放送受信装置１１の主要な信号処理系を示している。すなわち、ＢＳ／ＣＳ（broadcasting satellite／communication satellite）デジタル放送受信用のアンテナ１４で受信した衛星デジタル放送信号は、入力端子１５を介して衛星デジタル放送用のチューナ部１６に供給されることにより、所望のチャンネルの放送信号が選局される。
【００１６】
そして、このチューナ部１６で選局された放送信号は、ＰＳＫ（phase shift keying）復調器１７に供給されてＴＳ（transport stream）が復調される。このＴＳは、ＴＳ処理部１８に供給されてデジタルの映像信号及び音声信号等に復号化された後、信号処理部１９に出力される。
【００１７】
また、地上波放送受信用のアンテナ２０で受信した地上デジタルテレビジョン放送信号は、入力端子２１を介して地上デジタル放送用のチューナ部２２に供給されることにより、所望のチャンネルの放送信号が選局される。
【００１８】
そして、このチューナ部２２で選局された放送信号は、ＯＦＤＭ（orthogonal frequency division multiplexing）復調器２３に供給されてＴＳが復調される。このＴＳは、上記ＴＳ処理部１８に供給されてデジタルの映像信号及び音声信号に復号化された後、上記信号処理部１９に出力される。
【００１９】
また、上記地上波放送受信用のアンテナ２０で受信した地上アナログテレビジョン放送信号は、入力端子２１を介して地上アナログ放送用のチューナ部２４に供給されることにより、所望のチャンネルの放送信号が選局される。そして、このチューナ部２４で選局された放送信号は、アナログ復調器２５に供給されてアナログの映像信号及び音声信号に復調された後、上記信号処理部１９に出力される。
【００２０】
ここで、上記信号処理部１９は、ＴＳ処理部１８から供給されたデジタルの映像信号及び音声信号に対して所定のデジタル信号処理を施し、グラフィック処理部２６及び音声処理部２７に出力している。また、この信号処理部１９は、上記アナログ復調器２５から供給されたアナログの映像信号及び音声信号をデジタル化し、そのデジタル化された映像信号及び音声信号に対して所定のデジタル信号処理を施した後、グラフィック処理部２６及び音声処理部２７に出力している。
【００２１】
このうち、グラフィック処理部２６は、信号処理部１９から供給されるデジタルの映像信号に、ＯＳＤ信号生成部２８で生成されるＯＳＤ信号を重畳して出力する機能を有している。また、このグラフィック処理部２６は、信号処理部１９の出力映像信号と、ＯＳＤ信号生成部２８の出力ＯＳＤ信号とを選択的に出力することや、両出力をそれぞれ画面の半分を構成するように組み合わせて出力することができる。
【００２２】
そして、グラフィック処理部２６から出力されたデジタルの映像信号は、映像処理部２９に供給される。この映像処理部２９は、入力されたデジタルの映像信号を、上記した映像表示器３０で表示可能なフォーマットのアナログ映像信号に変換するとともに、必要に応じて表示サイズや表示位置等の調整を行なった後、映像表示器３０に出力して映像表示に供させるとともに、出力端子３１を介して外部に導出させる。
【００２３】
また、上記音声処理部２７は、入力されたデジタルの音声信号を、スピーカ３２で再生可能なフォーマットのアナログ音声信号に変換した後、スピーカ３２に出力して音声再生に供させるとともに、出力端子３３を介して外部に導出させる。
【００２４】
ここで、このデジタルテレビジョン放送受信装置１１は、上記した各種の受信動作を含むその全ての動作を制御部３４によって統括的に制御されている。この制御部３４は、ＣＰＵ（central processing unit）３４ａを内蔵しており、デジタルテレビジョン放送受信装置１１の本体に設置された操作部３５からの操作情報、または、リモートコントローラ３６から送出され受信部３７で受信した操作情報を受けて、その操作内容が反映されるように各部をそれぞれ制御している。
【００２５】
この場合、制御部３４は、メモリ部３４ｂを利用している。このメモリ部３４ｂは、主として、ＣＰＵ３４ａが実行する制御プログラムを格納したＲＯＭ（read only memory）と、該ＣＰＵ３４ａに作業エリアを提供するためのＲＡＭ（random access memory）と、各種の設定情報及び制御情報等が格納される不揮発性メモリとを有している。
【００２６】
また、この制御部３４には、上記ＨＤＤ１３が接続されている。この制御部３４は、ユーザによる操作部３５またはリモートコントローラ３６の操作、またはＣＰＵ３４ａが実行する制御プログラムの指示に基づいて、上記ＴＳ処理部１８から得られるＭＰＥＧ（moving picture experts group）２−ＴＳのデジタル信号を、暗号化器・復号化器３８によって暗号化した後、ＨＤＤ１３に供給してハードディスク１３ａに記録させるように制御することができる。
【００２７】
さらに、この制御部３４は、ユーザによる操作部３５またはリモートコントローラ３６の操作、またはＣＰＵ３４ａが実行する制御プログラムの指示に基づいて、上記アナログ復調器２５から得られるアナログの映像信号及び音声信号をエンコーダ３９によりＭＰＥＧ２−ＴＳに変換し、上記暗号化器・復号化器３８によって暗号化した後、ＨＤＤ１３に供給してハードディスク１３ａに記録させるように制御することができる。
【００２８】
また、この制御部３４は、ユーザによる操作部３５またはリモートコントローラ３６の操作、またはＣＰＵ３４ａが実行する制御プログラムの指示に基づいて、ＨＤＤ１３によりハードディスク１３ａからＭＰＥＧ２−ＴＳを読み出させ、上記暗号化器・復号化器３８によって復号化した後、ＴＳ処理部１８に供給することによって、以後、上記した映像表示及び音声再生に供させるように制御することができる。
【００２９】
さらに、この制御部３４には、デジタルインターフェース４０が接続されている。このデジタルインターフェース４０は、上記ＰＣ１２から出力される映像信号を、入力端子４１を介して受信する機能を有している。そして、この制御部３４は、デジタルインターフェース４０を介して受信したＰＣ１２からの出力映像信号を、映像処理部２９に供給することによって、映像表示器３０による映像表示に供させることができる。
【００３０】
また、上記制御部３４は、パターン識別処理部３４ｃを備えている。このパターン識別処理部３４ｃは、ＰＣ１２からの出力映像信号を映像表示器３０による映像表示に供させている状態で、その映像信号に例えば文字列等でなる制御情報を含む特定のパターン映像が含まれているか否かを検出している。
【００３１】
このパターン映像には、受信するテレビジョン放送のチャンネルを指定する選局情報、この選局情報で指定されたチャンネルのテレビジョン放送から復元した映像信号を、映像表示器３０での表示に供させる際のサイズ及び位置を指定するサイズ位置情報等を含む制御情報が含まれている。
【００３２】
そして、上記パターン識別処理部３４ｃは、ＰＣ１２から供給される映像信号に特定のパターン映像が含まれている場合、その選局情報で指定されたチャンネルのテレビジョン放送を受信して映像信号を復元し、復元した映像信号に対してサイズ位置情報に基づくサイズ及び位置で映像表示器３０での表示に供されるようにスケーリング処理や表示位置処理を施すように、デジタルテレビジョン放送受信装置１１を制御する。
【００３３】
その後、スケーリング処理や表示位置処理が施されたテレビジョン放送の映像信号は、映像処理部２９により、ＰＣ１２から供給された映像信号に重畳される。これにより、映像表示器３０には、ＰＣ１２から供給される映像とともに、受信したテレビジョン放送の映像が同時に表示されることになる。
【００３４】
この場合、テレビジョン放送の映像は、ＰＣ１２から供給される映像に含まれるパターン映像に基づいて、その受信チャンネル、表示サイズ及び表示位置等が特殊な装備の使用や煩雑な操作を行なうことなく自動的に設定されるので、ユーザにとっての取り扱いを便利にすることができる。
【００３５】
また、上記パターン映像には、ハードディスク１３ａから読み出す映像信号を指定する選択情報、この選択情報で指定された映像信号を復元して映像表示器３０での表示に供させる際のサイズ及び位置を指定するサイズ位置情報等を含む制御情報が含まれている場合もある。
【００３６】
この場合、上記パターン識別処理部３４ｃは、選択情報で指定された映像信号をハードディスク１３ａから読み出して復元し、復元した映像信号に対してサイズ位置情報に基づくサイズ及び位置で映像表示器３０での表示に供されるようにスケーリング処理や表示位置処理を施すように、デジタルテレビジョン放送受信装置１１を制御することになる。
【００３７】
ここで、ＰＣ１２から供給される映像信号と、その映像信号に含まれる特定のパターン映像に基づいて受信したテレビジョン放送の映像信号とを、映像表示器３０での同時表示に供させることについて、より具体的に説明する。図３は、ＰＣ１２から供給される映像信号に基づいて、映像表示器３０に表示される映像４２の一例を示している。
【００３８】
この映像４２内には、メモ帳として機能するアプリケーションウインドウ４３と、テレビジョン放送の受信用として機能するアプリケーションウインドウ４４とが表示されている。
【００３９】
このうち、アプリケーションウインドウ４４には、デジタルテレビジョン放送受信装置１１に所定のテレビジョン放送を受信させるための各種の操作用アイコン４４ａが表示されるとともに、受信したテレビジョン放送の映像を表示させるための表示領域４４ｂ内にパターン映像４４ｃが表示されている。
【００４０】
このパターン映像４４ｃは、例えばＱＲ（quick response）コード等で生成されており、前述したように、選局情報または選択情報、サイズ位置情報等でなる制御情報が含まれている。図３に示す例では、ＢＳ１２３Ｃｈのテレビジョン放送を受信し、その映像信号を復元して、図４に示すように、アプリケーションウインドウ４４内の表示領域４４ｂに映像表示させるような、選局情報及びサイズ位置情報等を有する制御情報が含まれている。
【００４１】
なお、ユーザが操作用アイコン４４ａを操作してテレビジョン放送の受信チャンネルを変更した場合には、それに応じてパターン映像４４ｃの制御情報内の選局情報の内容が変更される。また、ユーザがアプリケーションウインドウ４４のサイズや表示位置を変更した場合には、それに応じてパターン映像４４ｃの制御情報内のサイズ位置情報の内容が変更される。
【００４２】
このため、パターン識別処理部３４ｃが周期的にパターン映像４４ｃ内の制御情報を検出するようにしておけば、ユーザの操作によって受信チャンネル、表示サイズ及び表示位置等が変更された場合や、ＰＣ１２から供給される映像信号に含まれるパターン映像の制御情報が変更された場合等に、テレビジョン放送の映像表示を容易に対応させることができる。
【００４３】
また、ＰＣ１２から供給される映像信号と、その映像信号に含まれる特定のパターン映像に基づいてハードディスク１３ａから読み取って復元した映像信号とを、映像表示器３０での同時表示に供させる場合には、ハードディスク１３ａの再生用として機能するアプリケーションウインドウを表示させ、その表示領域に選択情報やサイズ位置情報等を含む制御情報を有するパターン映像を表示させるようにすれば良いものである。
【００４４】
図５は、上記したパターン識別処理部３４ｃの処理動作をまとめたフローチャートを示している。すなわち、処理が開始（ステップＳ１）されると、パターン識別処理部３４ｃは、ステップＳ２で、デジタルインターフェース４０を介して供給された映像信号に特定のパターン映像が含まれているか否かを判別する。
【００４５】
そして、特定のパターン映像が含まれていると判断された場合（ＹＥＳ）、パターン識別処理部３４ｃは、ステップＳ３で、パターン映像から制御情報を取得した後、ステップＳ４で、取得した制御情報の内容がテレビジョン放送の受信を要求するものであるか否かを判別する。
【００４６】
ここで、取得した制御情報の内容がテレビジョン放送の受信を要求するものであると判断された場合（ＹＥＳ）、パターン識別処理部３４ｃは、ステップＳ５で、取得した制御情報に含まれる選局情報で指定されたチャンネルのテレビジョン放送を選局して、その映像信号を復元させるように、デジタルテレビジョン放送受信装置１１の各部を制御する。
【００４７】
また、上記ステップＳ４で制御情報の内容がテレビジョン放送の受信を要求するものでないと判断された場合（ＮＯ）、パターン識別処理部３４ｃは、ステップＳ６で、取得した制御情報の内容がハードディスク１３ａからの映像信号の再生を要求するものであるか否かを判別する。
【００４８】
そして、取得した制御情報の内容がハードディスク１３ａからの映像信号の再生を要求するものでないと判断された場合（ＮＯ）、パターン識別処理部３４ｃは、ステップＳ２の処理に戻される。
【００４９】
また、上記ステップＳ６で制御情報の内容がハードディスク１３ａからの映像信号の再生を要求するものであると判断された場合（ＹＥＳ）、パターン識別処理部３４ｃは、ステップＳ７で、取得した制御情報に含まれる選択情報で指定された映像信号をハードディスク１３ａから読み取って復元させるように、デジタルテレビジョン放送受信装置１１の各部を制御する。
【００５０】
そして、上記ステップＳ５またはステップＳ７の後、パターン識別処理部３４ｃは、ステップＳ８で、復元された映像信号に対して、取得した制御情報に含まれるサイズ位置情報に基づくサイズ及び位置で映像表示器３０での表示に供されるようにスケーリング処理や表示位置処理を施すように、デジタルテレビジョン放送受信装置１１の各部を制御し、処理を終了（ステップＳ９）する。
【００５１】
ここで、上記した実施の形態では、ＰＣ１２から供給される映像信号に含まれる制御情報に基づいて、テレビジョン放送またはハードディスク１３ａから取得した映像を、ＰＣ１２によって表示されたアプリケーションウインドウ４４の表示領域４４ｂに表示させることについて説明した。
【００５２】
しかしながら、これに限らず、デジタルテレビジョン放送受信装置１１がネットワーク上から所定の映像信号を取得することができる機能を有する場合、制御情報に、上記選局情報や選択情報に代えて、ネットワーク上で所定の映像信号を指定する指定情報を含めておけば、ネットワークを介して取得した映像をＰＣ１２によって表示されたアプリケーションウインドウ４４の表示領域４４ｂに表示させることが可能となる。
【００５３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５４】
【図１】この発明の実施の形態を示すもので、映像信号処理システムの概略を説明するために示すブロック構成図。
【図２】同実施の形態における映像信号処理システムを構成するデジタルテレビジョン放送受信装置の信号処理系を説明するために示すブロック構成図。
【図３】同実施の形態におけるＰＣからの映像信号に基づいてデジタルテレビジョン放送受信装置に表示される映像の一例を説明するために示す図。
【図４】同実施の形態におけるＰＣからの映像とテレビジョン放送の受信映像とをデジタルテレビジョン放送受信装置に同時表示した一例を説明するために示す図。
【図５】同実施の形態におけるデジタルテレビジョン放送受信装置に備えられたパターン識別処理部の処理動作を説明するために示すフローチャート。
【符号の説明】
【００５５】
１１…デジタルテレビジョン放送受信装置、１２…ＰＣ、１３…ＨＤＤ、１３ａ…ハードディスク、１４…アンテナ、１５…入力端子、１６…チューナ部、１７…ＰＳＫ復調器、１８…ＴＳ処理部、１９…信号処理部、２０…アンテナ、２１…入力端子、２２…チューナ部、２３…ＯＦＤＭ復調器、２４…チューナ部、２５…アナログ復調器、２６…グラフィック処理部、２７…音声処理部、２８…ＯＳＤ信号生成部、２９…映像処理部、３０…映像表示器、３１…出力端子、３２…スピーカ、３３…出力端子、３４…制御部、３４ａ…ＣＰＵ、３４ｂ…メモリ部、３４ｃ…パターン識別処理部、３５…操作部、３６…リモートコントローラ、３７…受信部、３８…暗号化器・復号化器、３９…エンコーダ、４０…デジタルインターフェース、４１…入力端子、４２…映像、４３，４４…アプリケーションウインドウ、４４ａ…操作用アイコン、４４ｂ…表示領域、４４ｃ…パターン映像。
【図１】
2010011291.tif 000003
【図２】
2010011291.tif 000004
【図３】
2010011291.tif 000005
【図４】
2010011291.tif 000006
【図５】
2010011291.tif 000007
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
第１の映像信号の取得及び表示に関する各種指定を行なうための制御情報を、表示映像内にパターン映像として表示されるように含む第２の映像信号が入力される入力手段と、
前記パターン映像から前記制御情報を検出するとともに、その検出した制御情報に基づいて前記第１の映像信号を取得し表示に関する処理を施す取得手段と、
前記処理の施された前記第１の映像信号を、前記第２の映像信号に、同一画面上に同時表示されるように重畳する処理手段とを具備することを特徴とする映像信号処理装置。
【請求項２】
前記処理手段によって重畳された前記第１の映像信号と前記第２の映像信号とを、同一画面上に同時表示させる表示手段を具備することを特徴とする請求項１記載の映像信号処理装置。
【請求項３】
前記制御情報は、放送チャンネルを指定する選局情報と、前記選局情報で指定された放送チャンネルで放送される前記第１の映像信号の表示サイズ及び表示位置を指定するサイズ位置情報とを含み、
前記取得手段は、前記選局情報で指定する放送チャンネルを受信して前記第１の映像信号を取得し、その取得した前記第１の映像信号に対して、前記サイズ位置情報で指定する表示サイズ及び表示位置に表示されるように処理を施すことを特徴とする請求項１記載の映像信号処理装置。
【請求項４】
前記制御情報は、記録媒体に記録された前記第１の映像信号を指定する選択情報と、前記選択情報で指定される前記第１の映像信号の表示サイズ及び表示位置を指定するサイズ位置情報とを含み、
前記取得手段は、前記選択情報で指定された前記第１の映像信号を前記記録媒体から取得し、その取得した前記第１の映像信号に対して、前記サイズ位置情報で指定する表示サイズ及び表示位置に表示されるように処理を施すことを特徴とする請求項１記載の映像信号処理装置。
【請求項５】
前記制御情報は、ネットワーク上から前記第１の映像信号を指定する指定情報と、前記指定情報で指定される前記第１の映像信号の表示サイズ及び表示位置を指定するサイズ位置情報とを含み、
前記取得手段は、前記指定情報で指定された前記第１の映像信号を前記ネットワーク上から取得し、その取得した前記第１の映像信号に対して、前記サイズ位置情報で指定する表示サイズ及び表示位置に表示されるように処理を施すことを特徴とする請求項１記載の映像信号処理装置。
【請求項６】
前記第２の映像信号は、コンピュータから出力され、前記第１の映像信号を取得するためのアプリケーションウインドウを前記表示映像として表示するものであり、
前記パターン映像は、前記アプリケーションウインドウ内に表示されることを特徴とする請求項１記載の映像信号処理装置。
【請求項７】
前記取得手段は、前記制御情報による指定に基づいて取得した前記第１の映像信号に対して、前記アプリケーションウインドウ内に設けられた前記第１の映像信号のための映像表示領域に表示させるように、表示サイズ及び表示位置に関する処理を施すことを特徴とする請求項６記載の映像信号処理装置。
【請求項８】
第１の映像信号の取得及び表示に関する各種指定を行なうための制御情報を、表示映像内にパターン映像として表示されるように含む第２の映像信号を入力する第１の工程と、
前記パターン映像から前記制御情報を検出するとともに、その検出した制御情報に基づいて前記第１の映像信号を取得し表示に関する処理を施す第２の工程と、
前記第２の工程で取得され表示に関する処理の施された前記第１の映像信号を、前記第１の工程で入力された前記第２の映像信号に、同一画面上に同時表示されるように重畳する第３の工程とを有することを特徴とする映像信号処理方法。
【手続補正２】
【補正対象書類名】明細書
【補正対象項目名】０００８
【補正方法】変更
【補正の内容】
【０００８】
この発明に係る映像信号処理装置は、第１の映像信号の取得及び表示に関する各種指定を行なうための制御情報を、表示映像内にパターン映像として表示されるように含む第２の映像信号が入力される入力手段と、パターン映像から制御情報を検出するとともに、その検出した制御情報による指定に基づいて第１の映像信号を取得し表示に関する処理を施す取得手段と、取得手段で取得され表示に関する処理の施された第１の映像信号を、入力手段に入力された第２の映像信号に、同一画面上に同時表示されるように重畳する処理手段とを備えるようにしたものである。
【手続補正３】
【補正対象書類名】明細書
【補正対象項目名】０００９
【補正方法】変更
【補正の内容】
【０００９】
また、この発明に係る映像信号処理方法は、第１の映像信号の取得及び表示に関する各種指定を行なうための制御情報を、表示映像内にパターン映像として表示されるように含む第２の映像信号を入力する第１の工程と、パターン映像から制御情報を検出するとともに、その検出した制御情報による指定に基づいて第１の映像信号を取得し表示に関する処理を施す第２の工程と、第２の工程で取得され表示に関する処理の施された第１の映像信号を、第１の工程で入力された第２の映像信号に、同一画面上に同時表示されるように重畳する第３の工程とを有するようにしたものである。
【手続補正４】
【補正対象書類名】明細書
【補正対象項目名】００１０
【補正方法】変更
【補正の内容】
【００１０】
上記した発明では、第２の映像信号が、第１の映像信号の取得及び表示に関する各種指定を行なうための制御情報を、その表示映像内にパターン映像として表示されるように含んでおり、第２の映像信号を入力したとき、そのパターン映像に含まれる制御情報に基づいて第１の映像信号を取得し表示に関する処理を施して、第２の映像信号と同一画面に同時表示されるように重畳させるようにしている。このため、複数の映像信号を入力して多画面表示する際に、映像のサイズや表示位置等を特殊な装備の使用や煩雑な操作を行なうことなく自動的に設定することができ、ユーザにとっての取り扱いを便利にし、実用に好適するものとなる。